【手続補正書】
【提出日】平成20年2月29日(2008.2.29)
【手続補正１】
【補正対象書類名】特許請求の範囲
【補正対象項目名】全文
【補正方法】変更
【補正の内容】
【特許請求の範囲】
【請求項１】
短アークランプであって、
第１端（１４）まで開放した反射器キャビティ（１２）と、第２端のところでベース表面（５２）を通るアノード穴（１６）とを備えた実質的に円筒形の反射器本体（１０）と、
前記反射器本体の前記第１端上にぴったりと受け入れられ、前記反射器本体の前記第１端に設けられたランド（３０）と位置決め係合するための段部（２８）を持つ第１端と、前記第１段部の逆方向に配向された第２位置決め段部（４０）を持つ第２端とを備えた前スリーブ（２５）と、
前記前スリーブの前記第２端内に受け入れられ、前記第２位置決め段部と係合する第２ランドを持つリング（３８）を備えるカソード支持体（３４）と、
前記前スリーブの前記第２端内に受け入れられており、前記リングの前表面に当接するウィンドウマウント（３６）と、
前記アノード穴を通して受け入れられたアノード（１８）を同心に支持する熱伝導性の高いベース（２０）であって、前記ベースを前記ベース表面（５２）に鑞付けするための、前記ベース表面（５２）と面一衝合するフランジ（５０）を持つベース（２０）とを有する、短アークランプ。
【請求項２】
請求項１に記載の短アークランプであって、
前記反射器本体は、実質的に垂直な横断方向表面（６２）及び直径方向表面（６０）を含む段部を前記第２端の付近に備えており、
熱交換器（５４）を更に含み、該熱交換器は、
前記反射器本体の段部の前記直径方向表面及び前記横断方向表面をぴったりと受け入れる、円筒形第１穴（５６）及び段部（５８）と、
前記ベース及び前記フランジを夫々ぴったりと受け入れる、前記円筒形第１穴と同心であり且つ前記円筒形第１穴から延びる円筒形第２穴（６４）及び第２段部（６６）とを備えている、短アークランプ。
【請求項３】
請求項１に記載の短アークランプであって、
前記カソード支持体は、前記リングと一体成形されており且つ前記リングの半径を横切って延びる梁（７０）を含み、
スロット付き端部を持つカソード（７１）を更に含み、前記梁は、前記カソードを取り付けるため、前記スロット付き端部内に受け入れられる、短アークランプ。
【請求項４】
請求項３に記載の短アークランプであって、
前記梁は、前記リングから垂直方向下方に延びており、前記反射器本体内の対流内で、前記梁の前記カソードと前記リングとの中間部分に取り付けられたゲッタ（７４）を更に含む、短アークランプ。
【請求項５】
請求項３に記載の短アークランプであって、
前記梁は、垂直方向下方に延びており、前記カソードの先端は、対流によってアーク（７８）を持ち上げるため、前記アノードと近接して前記反射器の中央軸線（８０）の下方に位置決めされている、短アークランプ。
【請求項６】
短アークランプであって、
第１端（１４）に向かって開放した反射器キャビティ（１２）と、第２端のところでベース表面（５２）を通るアノード穴（１６）とを備えており、更に、垂直な横断方向表面及び直径方向表面（６２、６０）を含む段部を前記第２端の付近に有する、実質的に円筒形のセラミック製反射器本体（１０）と、
前記反射器本体の第１端に取り付けられた前スリーブ（２５）と、を有し、前記前スリーブは、前記反射器本体の前記第１端上に緊密に受け入れられる第１端を備え、前記スリーブの第１端は、前記反射器本体の前記第１端上のランドの位置係合のための段部を備え、前記前スリーブはさらに、前記第１端に対して反対方向に向いた第２位置決め段部を備える第２端を備え、前記カソード支持体は、前記第２位置決め段部に係合する第２のランドを備えるリングを含み、
前記短アークランプはさらに、前記前スリーブの前記第２端内に受け入れられたカソード支持体（３４）と、
前記前スリーブの前記第２端内に受け入れられており且つ前記カソード支持体と当接するウィンドウマウント（３６）と、
前記アノード穴を通して受け入れられたアノード（１８）を同心に支持する熱伝導性の高いベース（２０）であって、前記ベースを前記ベース表面に鑞付けするための、前記ベース表面と面一衝合する、前記ベースから延びるフランジ（５０）を持つベース（２０）と、
前記反射器本体の段部の前記直径方向表面及び前記横断方向表面をぴったりと受け入れる、円筒形第１穴（５６）及び段部（５８）と、前記ベース及び前記フランジを夫々ぴったりと受け入れる、前記円筒形第１穴と同心であり且つ前記円筒形第１穴から延びる円筒形第２穴（６４）及び第２段部（６６）とを備えた、熱交換器（５４）とを含む、短アークランプ。
【請求項７】
請求項６に記載の短アークランプであって、
前記カソード支持体は、前記リングと一体成形されており且つ前記リングの半径を横切って延びる梁（７０）を備えており、
スロット付き端部を持つカソード（７１）を更に含み、前記梁は、前記カソードを取り付けるために前記スロット付き端部内に受け入れられる、短アークランプ。
【請求項８】
請求項７に記載の短アークランプであって、
前記梁は、前記リングから垂直方向下方に延びており、前記反射器本体内の対流内で、前記梁の前記カソードと前記リングとの中間部分に取り付けられたゲッタ（７４）を更に含む、短アークランプ。
【請求項９】
請求項７に記載の短アークランプであって、
前記梁は、垂直方向下方に延びており、前記カソードの先端は、対流によって前記アークを持ち上げるため、前記アノードと近接して前記反射器の中央軸線（８０）の下方に位置決めされている、短アークランプ。
【請求項１０】
短アークランプであって、
第１端（１４）に向かって開放した反射器キャビティ（１２）と、第２端のところでベース表面（５２）を通るアノード穴（１６）とを備えた実質的に円筒形の反射器本体（１０）と、
前記反射器本体の前記第１端上にぴったりと受け入れられた、前記反射器本体の前記第１端に設けられたランド（３０）と位置決め係合するための段部（２８）を持つ第１端と、前記第１段部の逆方向に配向された第２位置決め段部（４０）を持つ第２端とを備えた前スリーブ（２５）と、
前記前スリーブの前記第２端内に受け入れられ、前記第２位置決め段部と係合する第２ランドを持つリング（３８）を含むカソード支持体（３４）と、
前記前スリーブの前記第２端内に受け入れられており、前記リングの前表面に当接したウィンドウマウント（３６）と、
前記反射器本体の前記第２端に取り付けられた、前記アノード穴を通して受け入れられたアノード（１８）を支持するベース（２０）とを含む、短アークランプ。
【請求項１１】
請求項１０に記載の短アークランプであって、
前記ベースは熱伝導性が高く、前記アノード穴を通して受け入れられた前記アノードを同心に支持し、前記ベースは、前記ベースを前記ベース表面に鑞付けするための、前記反射器本体の前記ベース表面と面一衝合するフランジ（５０）を有する、短アークランプ。
【請求項１２】
請求項１１に記載の短アークランプであって、
前記反射器本体は、実質的に垂直な横断方向表面及び直径方向表面（６２、６０）を含む段部を前記第２端と近接して備えており、
熱交換器（５４）を更に含み、該熱交換器は、
前記反射器本体の段部の前記直径方向表面及び前記横断方向表面をぴったりと受け入れる、円筒形第１穴（５６）及び段部（５８）と、
前記ベース及び前記フランジを夫々ぴったりと受け入れる、前記円筒形第１穴と同心であり且つ前記円筒形第１穴から延びる円筒形第２穴（６４）及び第２段部（６６）とを備えている、短アークランプ。
【請求項１３】
請求項１１に記載の短アークランプであって、
前記カソード支持体は、前記リングと一体成形されており且つ前記リングの半径を横切って延びる梁（７０）を含み、
更に、スロット付き端部を持つカソード（７１）を含み、前記梁は、前記カソードを取り付けるために前記スロット付き端部内に受け入れられる、短アークランプ。
【請求項１４】
請求項１３に記載の短アークランプであって、
前記梁は、前記リングから垂直方向下方に延びており、前記反射器本体内の対流内で、前記梁の前記カソードと前記リングとの中間部分に取り付けられたゲッタ（７４）を更に含む、短アークランプ。
【請求項１５】
請求項１３に記載の短アークランプであって、
前記梁は垂直方向下方に延びており、前記梁に取り付けられたカソード（７１）を更に含み、前記カソードの先端は、対流によってアークを持ち上げるため、前記アノードと近接して及び前記反射器の中央軸線（８０）の下方にある、短アークランプ。
【請求項１６】
短アークランプであって、
第１端（１４）に向かって開放した反射器キャビティ（１２）と、第２端のところでベース表面（５２）を通るアノード穴（１６）とを備えた実質的に円筒形の反射器本体（１０）と、
前記反射器本体の前記第１端上にぴったりと受け入れられた第１端と、第２端とを持つ前スリーブ（２５）と、
前記前スリーブの前記第２端内に受け入れられたリング（３８）と、前記リングと一体成形されており且つ前記リングの半径を横切って前記リングから垂直に延びる単一梁（７０）とを含むカソード支持体（３４）と、
前記梁に取り付けられたカソード（７１）と、
前記前スリーブの前記第２端内に受け入れられており、前記リングの前表面に当接したウィンドウマウント（３６）と、
前記反射器本体の前記第２端に取り付けられた、前記アノード穴を通して受け入れられたアノードを支持するベース（２０）とを含む、短アークランプ。
【請求項１７】
請求項１６に記載の短アークランプであって、
前記ベースは熱伝導性が高く、前記アノード穴を通して受け入れられた前記アノードを同心に支持し、前記ベースは、前記ベースを前記ベース表面に鑞付けするための、前記反射器本体の前記ベース表面と面一衝合するフランジ（５０）を有する、短アークランプ。
【請求項１８】
請求項１７に記載の短アークランプであって、
前記反射器本体は、実質的に垂直な横断方向表面及び直径方向表面（６２、６０）を含む段部を前記第２端の付近に備えており、
熱交換器（５４）を更に含み、該熱交換器は、
前記反射器本体の段部の前記直径方向表面及び前記横断方向表面をぴったりと受け入れる、円筒形第１穴（５６）及び段部（５８）と、
前記ベース及び前記フランジを夫々ぴったりと受け入れる、前記円筒形第１穴と同心であり且つ前記円筒形第１穴から延びる円筒形第２穴（６４）及び第２段部（６６）とを備えている、短アークランプ。
【請求項１９】
請求項１６に記載の短アークランプであって、
前記梁は垂直方向下方に延びており、対流内で、前記梁の前記カソードと前記頂部との中間部分に取り付けられたゲッタ（７４）を更に含む、短アークランプ。
【請求項２０】
請求項１６に記載の短アークランプであって、
前記梁は垂直方向下方に延びており、前記カソードの先端は、対流によってアークを持ち上げるため、前記アノードと近接して、及び前記反射器の中央軸線（８０）の下に位置決めされる、短アークランプ。
【請求項２１】
短アークランプであって、
第１端（１４）に向かって開放した反射器キャビティ（１２）と、第２端のところでベース表面（５２）を通るアノード穴（１６）とを備えた実質的に円筒形の反射器本体（１０）と、
前記反射器本体の前記第１端上にぴったりと受け入れられた第１端と、第２端とを持つ前スリーブ（２５）と、を有し、前記前スリーブは、前記反射器本体の前記第１端上に緊密に受け入れられる第１端を備え、前記スリーブの第１端は、前記反射器本体の前記第１端上のランドの位置係合のための段部を備え、前記前スリーブはさらに、前記第１端に対して反対方向に向いた第２位置決め段部を備える第２端を備え、前記カソード支持体は、前記第２位置決め段部に係合する第２のランドを備えるリングを含み、
前記短アークランプはさらに、前記前スリーブの前記第２端内に受け入れられており、前記リングから垂直方向下方に前記リングの半径を横切って延びる梁（７０）を有するカソード支持体（３４）と、
前記梁に取り付けられたカソード（７１）と、
前記反射器本体の対流内で、前記梁の前記カソードと前記リングとの中間部分に取り付けられたゲッタ（７４）と、
前記前スリーブの前記第２端内に受け入れられており、前記リングの前表面に当接したウィンドウマウント（３６）と、
前記反射器本体の前記第２端に取り付けられた、前記アノード穴を通して受け入れられたアノード（１８）を支持するベース（２０）とを含む、短アークランプ。
【請求項２２】
請求項２１に記載の短アークランプであって、
前記カソードはスロット付き端部を有し、前記梁は、前記カソードを取り付けるために前記スロット付き端部内に受け入れられる、短アークランプ。
【請求項２３】
請求項２１に記載の短アークランプであって、
前記アノードと近接した前記カソードのチップは、対流によってアークを持ち上げるため、前記反射器の中央軸線（８０）の下にある、短アークランプ。
【請求項２４】
請求項２１に記載の短アークランプであって、
前記ベースは熱伝導性が高く、前記アノードを同心に支持し、前記ベースは、前記ベースを前記ベース表面に鑞付けするための、前記反射器本体の前記ベース表面と面一衝合するフランジ（５０）を有する、短アークランプ。
【請求項２５】
請求項２４に記載の短アークランプであって、
前記反射器本体は、実質的に垂直な横断方向表面及び直径方向表面（６２、６０）を含む段部を前記第２端と近接して備えており、
熱交換器（５４）を更に含み、該熱交換器は、
前記反射器本体の段部の前記直径方向表面及び前記横断方向表面をぴったりと受け入れる、円筒形第１穴（５６）及び段部（５８）と、
前記ベース及び前記フランジを夫々ぴったりと受け入れる、前記円筒形第１穴と同心であり且つ前記円筒形第１穴から延びる円筒形第２穴（６４）及び第２段部（６６）とを備えている、短アークランプ。
【請求項２６】
短アークランプであって、
第１端（１４）に向かって開放した反射器キャビティ（１２）と、第２端のところでベース表面（５２）を通るアノード穴（１６）とを備えた実質的に円筒形の反射器本体（１０）と、
前記反射器本体の前記第２端に取り付けられた、前記アノード穴を通して受け入れられたアノード（１８）を支持するベース（２０）と、
前記反射器本体の前記第１端上にぴったりと受け入れられた第１端と、第２端とを持つ前スリーブ（２５）と、
カソード支持体（３４）であって、前記カソード支持体は前記前スリーブの前記第２端内に受け入れられ、前記カソード支持体の頂部から前記カソード支持体の半径を横切って垂直方向下方に延びる梁を有する、カソード支持体と、
前記梁に取り付けられ、対流によってアークを持ち上げるため、カソードの先端が前記反射器の中央軸線（８０）の下にあるカソード（７１）と、
前記前スリーブの前記第２端内に受け入れられており、前記リングの前表面に当接したウィンドウマウント（３６）とを含む、短アークランプ。
【請求項２７】
請求項２６に記載の短アークランプであって、
前記リングは、断面が実質的に一様である、短アークランプ。